(57)【要約】      （修正有）【課題】構造が簡単でコーナー部の補強が確実に出来、製作が容易なキャビネットボックスを提供する。【解決手段】天板２と側板３，４と背面板５と底板６とを有し、前面側が開口した略矩形箱状に形成されたキャビネットボックス１であって、天板２、側板３，４、背面板５、底板６のうちの少なくとも何れか１つの筐体内面に接合される第１の接合片10ｅと、第１の接合片10ｅに対して折曲して起立されると共に、第１の接合片10ｅとの接合部の両端部と頂点部とが略三角形状に形成され、第１の接合片10ｅが接合される筐体内面と交差する他の筐体の一部に接合される第２の接合片10ｂとを有する補強接合部材10により筐体コーナー部が接合される。【選択図】図１
2012085913.tif 000002
【特許請求の範囲】
【請求項１】
天板と側板と背面板と底板とを有し、前面側が開口した略矩形箱状に形成されたキャビネットボックスであって、
前記天板、前記側板、前記背面板、前記底板のうちの少なくとも何れか１つの筐体内面に接合される第１の接合片と、
前記第１の接合片に対して折曲して起立されると共に、前記第１の接合片との接合部の両端部と頂点部とが略三角形状に形成され、前記第１の接合片が接合される筐体内面と交差する他の筐体の一部に接合される第２の接合片と、
を有する補強接合部材により筐体コーナー部が接合されることを特徴とするキャビネットボックス。
【請求項２】
前記補強接合部材の前記第１の接合片は、該第１の接合片が接合される筐体内面の全長に亘る長さを有する長尺状で形成され、前記第１の接合片の両端部に前記第２の接合片がそれぞれ設けられたことを特徴とする請求項１に記載のキャビネットボックス。
【請求項３】
前記補強接合部材の前記第１の接合片は、前記筐体の前記前面側が開口した開口縁の近傍で前記底板または前記天板のうちの少なくとも１つの内面に接合され、前記第１の接合片の端部に設けられた前記第２の接合片が前記側板の一部に接合されたことを特徴とする請求項１または請求項２に記載のキャビネットボックス。
【発明の詳細な説明】
【技術分野】
【０００１】
本発明は、天板と側板と背面板と底板とを有し、前面側が開口した略矩形箱状に形成されたパチンコ台やスロット台等の遊戯機の筐体として使用されるキャビネットボックスに関するものである。
【背景技術】
【０００２】
従来、天板と側板と背面板と底板とを有し、前面側が開口した略矩形箱状に形成されたパチンコ台やスロット台等の遊戯機の筐体として使用されるキャビネットボックスにおいて、上下横材と右縦材とのコーナー接合部、下横材と左縦材とのコーナー接合部にそれぞれＬ字形状のコーナー補強部材を設け、上横材の左端部と左縦材の上端との接合部分に断面Ｌ字形状の蝶番の上ヒンジを取り付けて枠体コーナー部を補強したものが提案されている（特許文献１）。
【先行技術文献】
【特許文献】
【０００３】
【特許文献１】実公平４−１３０３０号公報（第４図）
【発明の概要】
【発明が解決しようとする課題】
【０００４】
しかしながら、前述の特許文献１のコーナー補強部材は構造が複雑となり、ビス止め部も多数となって製作に手間がかかるといった問題があった。
【０００５】
本発明は前記課題を解決するものであり、その目的とするところは、構造が簡単でコーナー部の補強が確実に出来、製作が容易なキャビネットボックスを提供せんとするものである。
【課題を解決するための手段】
【０００６】
前記目的を達成するための本発明に係るキャビネットボックスの第１の構成は、天板と側板と背面板と底板とを有し、前面側が開口した略矩形箱状に形成されたキャビネットボックスであって、前記天板、前記側板、前記背面板、前記底板のうちの少なくとも何れか１つの筐体内面に接合される第１の接合片と、前記第１の接合片に対して折曲して起立されると共に、前記第１の接合片との接合部の両端部と頂点部とが略三角形状に形成され、前記第１の接合片が接合される筐体内面と交差する他の筐体の一部に接合される第２の接合片とを有する補強接合部材により筐体コーナー部が接合されることを特徴とする。
【０００７】
また、本発明に係るキャビネットボックスの第２の構成は、前記第１の構成において、前記補強接合部材の前記第１の接合片は、該第１の接合片が接合される筐体内面の全長に亘る長さを有する長尺状で形成され、前記第１の接合片の両端部に前記第２の接合片がそれぞれ設けられたことを特徴とする。
【０００８】
また、本発明に係るキャビネットボックスの第３の構成は、前記第１、第２の構成において、前記補強接合部材の前記第１の接合片は、前記筐体の前記前面側が開口した開口縁の近傍で前記底板または前記天板のうちの少なくとも１つの内面に接合され、前記第１の接合片の端部に設けられた前記第２の接合片が前記側板の一部に接合されたことを特徴とする。
【発明の効果】
【０００９】
本発明に係るキャビネットボックスの第１の構成によれば、第１の接合片と第２の接合片との接合部の両端部と、該第２の接合片の頂点部とが略三角形状に形成されるため筐体のコーナー部の固定が強固に出来る。
【００１０】
また、本発明に係るキャビネットボックスの第２の構成によれば、第１の接合片が接合される筐体内面の全長に亘る長さを有する長尺状で形成され、該第１の接合片の両端部に第２の接合片がそれぞれ設けられたことで、天板、左右側板、底板のうちの互いに隣接される何れか３つの筐体により形成される２箇所のコーナー部を１つの補強接合部材で接合することが出来る。
【００１１】
また、本発明に係るキャビネットボックスの第３の構成によれば、例えば、金属板の板厚が０．８ｍｍ程度の薄板で構成され、前面側が開口した構造の筐体で、且つその開口部にヒンジ部材により比較的重量のあるフロントパネルを開閉可能に取り付ける必要がある筐体であってもコーナー部の補強が確実に出来る。
【図面の簡単な説明】
【００１２】
【図１】本発明に係るキャビネットボックスの構成を示す斜視図である。
【図２】（ａ），（ｂ）は補強接合部材の第１の接合片をキャビネットボックスの底板に接合すると共に、第２の接合片をキャビネットボックスの右側板に接合する様子を示す分解説明図である。
【図３】本発明に係るキャビネットボックスを底板側から天板の内面側を見た様子を示す斜視説明図である。
【図４】（ａ）〜（ｄ）は第１の接合片がキャビネットボックスの底板に接合される補強接合部材の構成を示す平面図、正面図、左側面図及び右側面図、（ｅ）は（ａ）のＡ−Ａ断面図である。
【図５】第１の接合片がキャビネットボックスの底板に接合される補強接合部材の構成を示す斜視図である。
【図６】（ａ）〜（ｄ）は第１の接合片がキャビネットボックスの天板に接合される補強接合部材の構成を示す平面図、正面図、左側面図及び右側面図、（ｅ）は（ａ）のＢ−Ｂ断面図である。
【図７】第１の接合片がキャビネットボックスの天板に接合される補強接合部材の構成を示す斜視図である。
【図８】（ａ），（ｂ）はリベット止めを行う様子を示す断面説明図である。
【発明を実施するための形態】
【００１３】
図により本発明に係るキャビネットボックスの一実施形態を具体的に説明する。
【００１４】
図１及び図３において、１はパチンコ台やスロット台等の遊戯機の筐体として使用され、例えば厚さ０．８ｍｍ程度のメッキ鋼板やアルミニウム板等の金属板をプレス成形により作成されたキャビネットボックスであり、天板２と側板３，４と背面板５と底板６とを有し、前面側が開口した略矩形箱状に形成される。尚、本実施形態では、天板２と左右側板３，４とは連続した金属板をコの字形状に折り曲げて構成された一例である。キャビネットボックス１の開口した前面側には図示しないヒンジ部材により開閉可能な図示しないフロントパネルが取り付けられる。
【００１５】
天板２、側板３，４、背面板５、底板６のうちの少なくとも何れか１つの筐体内面には、図４〜図７に示す補強接合部材10の第１の接合片10ｅが接合される。第１の接合片10ｅの両端部には該第１の接合片10ｅに対して折曲して起立される第２の接合片10ｂがそれぞれ設けられている。第２の接合片10ｂは、第１の接合片10ｅとの接合部の両端部10b1，10b2と頂点部10b3とが略三角形状に形成されている。
【００１６】
そして、図２に示すように、第１の接合片10ｅがリベット接合される筐体内面と交差する他の筐体の一部に第２の接合片10ｂがリベット接合される。これにより第１、第２の接合片10ｅ，10ｂを有する補強接合部材10により筐体コーナー部が接合される。
【００１７】
図１及び図３に示すように、本実施形態の補強接合部材10の第１の接合片10ｅは、該第１の接合片10ｅがリベット接合される筐体の一例として、底板６及び天板２のそれぞれの内面の全長に亘る長さを有する長尺状で形成される。そして、第１の接合片10ｅの両端部に略三角形状の第２の接合片10ｂがそれぞれ該第１の接合片10ｅに対して折曲起立して設けられる。
【００１８】
本実施形態では、図１及び図２に示すように、図４及び図５に示す補強接合部材10の第１の接合片10ｅが筐体の前面側が開口した開口縁の近傍で底板６の内面にリベット止めにより接合され、該第１の接合片10ｅの両端部に設けられた第２の接合片10ｂが左右側板３，４の一部となる筐体の前面側の開口内側に向かって張り出した張出部３ａ，４ａにリベット止めにより接合される。
【００１９】
また、図３に示すように、図６及び図７に示す補強接合部材10の第１の接合片10ｅが筐体の前面側が開口した開口縁の近傍で天板２の内面にリベット止めにより接合され、該第１の接合片10ｅの両端部に設けられた第２の接合片10ｂが左右側板３，４の一部となる筐体の前面側の開口内側に向かって張り出した張出部３ａ，４ａにリベット止めにより接合される。
【００２０】
本実施形態では、筐体となる天板２、側板３，４、背面板５、底板６の表面側にはリベット８の頭部８ａの高さに対応する凹部９ａが複数形成され、該凹部９ａにはリベット挿通孔９ｃが形成されている。
【００２１】
本実施形態の補強接合部材10は、キャビネットボックス１の筐体表面に設けられた凹部９ａの該キャビネットボックス１の内側に突出する凸部９ｂの形状に対応した断面形状の溝部10ｄを有する。補強接合部材10はキャビネットボックス１の筐体表面に設けられた複数の凹部９ａに亘って連続される長尺状で構成され、補強接合部材10の溝部10ｄには凹部９ａに形成されたリベット挿通孔９ｃに対応する位置にリベット挿通孔10ａが形成されている。また、補強接合部材10の一部としての両端部には該補強接合部材10本体である第１の接合片10ｅから垂直に起立した略三角形状の第２の接合片10ｂが設けられ、該第２の接合片10ｂにはリベット挿通孔10ｃが設けられている。
【００２２】
図２に示すように、キャビネットボックス１の筐体となる天板２及び底板６のそれぞれの表面に設けられた凹部９ａの該キャビネットボックス１の内側に突出する凸部９ｂに沿って図４〜図７に示すそれぞれの補強接合部材10の溝部10ｄを嵌合して被せ、互いのリベット挿通孔９ｃ，10ａにリベット８を挿通してリベット止めする。
【００２３】
ここで、図８を用いてリベット止めを行う様子について説明する。本実施形態に用いられるリベット８はブラインドリベットと言われるもので、該リベット８内には貫通路８ｂが形成されており、該貫通路８ｂ内には引きピン11が挿通可能とされている。引きピン11の一端部には、貫通路８ｂの内径よりも大径の拡径部11ａが形成されており、該拡径部11ａの基部には貫通路８ｂの内径よりも小径の折曲部11ｂが形成されている。尚、リベット８はアルミニウム製、鉄製、ステンレス製等の種々の材質のものが適用可能である。
【００２４】
そして、図８（ａ）に示されるように、キャビネットボックス１の筐体となる天板２及び底板６のそれぞれの表面に設けられた凹部９ａに形成されたリベット挿通孔９ｃに、図４〜図７に示すそれぞれの補強接合部材10の溝部10ｄに形成されたリベット挿通孔10ａを合致させた後にキャビネットボックス１の筐体表面に設けられた凹部９ａ側からリベット８を差し込む。そのとき、凹部９ａ内にリベット８の頭部８ａ全体が突出することなく収容される。その状態で図示しない所定の工具を使用して引きピン11を図８（ａ）の矢印ａ方向に引くと、引き込まれた拡径部11ａが図８（ｂ）に示すようにリベット８の端部８ｃに係止され、リベット８の端部８ｃが変形される。さらに引き込まれた拡径部11ａの移動が貫通路８ｂにおける補強接合部材10のリベット挿通孔10ａ近傍位置にて規制された時点で、リベット８の変形した端部８ｃとリベット８の頭部８ａとによりキャビネットボックス１の筐体となる天板２及び底板６と図４〜図７に示すそれぞれの補強接合部材10とが挟持された状態となり、その後、引きピン11をさらに強く引っ張ることにより、折曲部11ｂから先端部11ｃが折れて分離する。
【００２５】
図４〜図７に示すそれぞれの補強接合部材10の両端部に設けられた第２の接合片10ｂは、図１〜図３に示すように、該補強接合部材10がリベット止めされた部材となる天板２或いは底板６以外の部材となる左右側板３，４に設けられた張出部３ａ，４ａの表面に設けられた凹部９ａのリベット挿通孔９ｃと第２の接合片10ｂのリベット挿通孔10ｃ内に該凹部９ａ側からリベット８を挿入すると共に、該凹部９ａ内にリベット８の頭部８ａが収容されて前述したと同様にリベット止めにより接合される。
【００２６】
上記構成によれば、第１の接合片10ｅと第２の接合片10ｂとの接合部の両端部10b1，10b2と、該第２の接合片10ｂの頂点部10b3とが略三角形状に形成され、第２の接合片10ｂに設けられた１箇所或いは２箇所のリベット挿通孔10ｃに挿通されるリベット８を用いてリベット止めにより接合されるため筐体のコーナー部の固定が強固に出来る。
【００２７】
また、第１の接合片10ｅが接合される筐体となる天板２或いは底板６の内面の全長に亘る長さを有する長尺状で形成され、該第１の接合片10ｅの両端部に第２の接合片10ｂがそれぞれ設けられたことで、天板２、左右側板３，４、底板６の互いに隣接される３つの筐体により形成される２箇所のコーナー部を１つの補強接合部材10で接合することが出来、部品点数を削減することが出来る。
【００２８】
また、例えば、金属板の板厚が０．８ｍｍ程度の薄板で構成され、前面側が開口した構造の筐体で、且つその開口部にヒンジ部材により比較的重量のあるフロントパネルを開閉可能に取り付ける必要がある筐体であってもコーナー部の補強が確実に出来る。
【産業上の利用可能性】
【００２９】
本発明の活用例として、天板と側板と背面板と底板とを有し、前面側が開口した略矩形箱状に形成されたパチンコ台やスロット台等の遊戯機の筐体として使用されるキャビネットボックスに適用出来る。
【符号の説明】
【００３０】
１    …キャビネットボックス
２    …天板
３，４ …側板
３ａ，４ａ…張出部
５    …背面板
６    …底板
８    …リベット
８ａ  …頭部
８ｂ  …貫通路
８ｃ  …端部
９ａ  …凹部
９ｂ  …凸部
９ｃ  …リベット挿通孔
10    …補強接合部材
10ａ  …リベット挿通孔
10ｂ  …第２の接合片
10b1，10b2…接合部の両端部
10b3…頂点部
10ｃ  …リベット挿通孔
10ｄ  …溝部
10ｅ…第１の接合片
11    …引きピン
11ａ  …拡径部
11ｂ  …折曲部
11ｃ  …先端部
【図１】
2012085913.tif 000003
【図２】
2012085913.tif 000004
【図３】
2012085913.tif 000005
【図４】
2012085913.tif 000006
【図５】
2012085913.tif 000007
【図６】
2012085913.tif 000008
【図７】
2012085913.tif 000009
【図８】
2012085913.tif 000010